(57)【要約】【課題】作業口の開口高さよりも背の高い容器等を収納部内に収納可能な浴槽エプロン用収納ボックス、この取付部材及びこれらを用いた浴槽エプロン構造を提供する。【解決手段】収納ボックス１０は、収納部１３と、該収納部１３に連なる枠部１１と、該枠部１１の周縁部に設けられたフランジ部１２とからなる。この収納部１３の下部は下方に凹陥した凹部１３ａとなっている。取付部材２０は、外枠部２１と、外枠部２１の周縁部に突設された鍔部２２と、該鍔部２２の裏面に設けられた留め部２３，２４とからなる。取付部材２０の鍔部２２を作業口３の周縁の裏面に当接させる。作業口３の周縁の表面に収納ボックス１０のフランジ部１２を当てがう。該留め部２３，２４と該収納ボックス１０の背面１３ｃとをボルト及びナットで締結する。【選択図】図２
2007098019.tif 000002
【特許請求の範囲】
【請求項１】
浴槽のエプロンに設けられた作業口に取り付けられる収納ボックスにおいて、
該エプロンの裏面側に配置される収納部と、
該収納部に連なっている、該作業口に内嵌される枠部と、
該枠部のうち該エプロンの表面側の周縁部から突設されており、該作業口の表面側の周縁に当接するフランジ部と、
を有し、
該収納部の下部は該枠部よりも下方に凹陥していることを特徴とする浴槽エプロン用収納ボックス。
【請求項２】
請求項１において、該収納部の底面は前記枠部側に向って下り勾配の傾斜面となっていることを特徴とする浴槽エプロン用収納ボックス。
【請求項３】
請求項２において、該底面の最低位部に水抜き用開口部が設けられていることを特徴とする浴槽エプロン用収納ボックス。
【請求項４】
請求項１ないし３のいずれか１項において、該収納部の背面に締結部材を挿通させるための小孔が設けられていることを特徴とする浴槽エプロン用収納ボックス。
【請求項５】
請求項４に記載の浴槽エプロン用収納ボックスをエプロンに取り付けるための収納ボックス取付部材であって、
該作業口に挿入され、該収納ボックスの前記枠部に外嵌する外枠部と、
該外枠部のうち該エプロンの裏面側の周縁から突設されており、該作業口の裏面側の周縁に当接する鍔部と、
該鍔部の裏面に設けられた留め部と
を有し、
該留め部は、該鍔部の裏面から起立する脚部と、該脚部の先端に設けられた該収納部の背面と対面する耳部とを有し、該耳部のうち該背面の小孔と対向する位置に前記締結部材が挿入される小孔が設けられていることを特徴とする収納ボックス取付部材。
【請求項６】
浴槽のエプロンの作業口に請求項４に記載の浴槽エプロン用収納ボックスが請求項５に記載の収納ボックス取付部材を介して取り付けられてなる浴槽エプロン構造であって、
該取付部材の前記外枠部に該収納ボックスの前記枠部が挿入され、該収納ボックスの前記小孔を通して該取付部材の前記耳部の小孔に締結部材が挿入されることにより該収納ボックスと収納ボックス取付部材とが締結され、且つ該収納ボックスの前記フランジ部と該取付部材の前記鍔部とによって該作業口の周縁が挟持されていることを特徴とする浴槽エプロン構造。
【発明の詳細な説明】
【技術分野】
【０００１】
本発明は、浴槽のエプロンに設けられた作業口に取り付けられる収納ボックス、該収納ボックスの取付部材及びこれら収納ボックス及び取付部材が作業口に取り付けられてなる浴槽エプロン構造に関するものである。
【背景技術】
【０００２】
従来、浴室の側壁に設けられた作業口に、各種形状の収納ボックスがビス止めされている。
【０００３】
例えば、実開昭６２−１３８７７０号公報の第５図には、浴槽のエプロンに設けられた作業口の表側に当接するフランジ部と、該フランジ部に連なり、エプロンの裏側に凹陥してなる収納部とからなり、該収納部の底面は水平であり、該収納部の天井面はフランジ部側に上る傾斜面となっている作業蓋が記載されている。
【０００４】
また、実開平７−１８６９１号公報の図３には、浴室の側壁に設けられた作業口の表側に当接するフランジ部と、該フランジ部に連なり、側壁の裏側に凹陥してなる収納部とを有し、該収納部の底面はフランジ部側に下る傾斜面となっており、該収納部の開口前面部に容器類を支持する枠体部を設けてなる収納棚が記載されている。
【特許文献１】実開昭６２−１３８７７０号公報
【特許文献２】実開平７−１８６９１号公報
【発明の開示】
【発明が解決しようとする課題】
【０００５】
上記実開昭６２−１３８７７０号公報では、収納部の空間が奥側に行くに従って狭くなっていることから、収納部の開口高さよりも背の高い容器等を収納することができない。
【０００６】
上記実開平７−１８６９１号公報にあっても収納部の空間が奥側に行くに従って狭くなっている。また、収納部の底面がフランジ部側に下る傾斜面となっていることから、収納部に収納された容器等は傾き、該容器等の上部が浴室の側壁から突出する。このため、この突出部が体を洗うときなどに邪魔となり、浴室内の有効スペースが狭くなる。
【０００７】
本発明は、作業口の開口高さよりも背の高い容器等を収納部内に収納可能な浴槽エプロン用収納ボックス、この浴槽エプロン用収納ボックスの取付部材及びこれら浴槽エプロン用収納ボックス及び取付部材を用いた浴槽エプロン構造を提供することを目的とする。
【０００８】
また、上記実開昭６２−１３８７７０号公報及び実開平７−１８６９１号公報では、作業蓋又は収納棚のフランジ部を作業口の周縁に当てがってビス止めするため、強度が低く、また、ビスの頭部が使用者に見えて見映えが悪い。
【０００９】
本発明は、取付強度が強く、かつ見映えのよい浴槽エプロン構造及び該浴槽エプロン構造に用いられる浴槽エプロン用収納ボックス及び取付部材を提供することを異なる目的とする。
【課題を解決するための手段】
【００１０】
請求項１の浴槽エプロン用収納ボックスは、浴槽のエプロンに設けられた作業口に取り付けられる収納ボックスにおいて、該エプロンの裏面側に配置される収納部と、該収納部に連なっている、該作業口に内嵌される枠部と、該枠部のうち該エプロンの表面側の周縁部から突設されており、該作業口の表面側の周縁に当接するフランジ部と、を有し、該収納部の下部は該枠部よりも下方に凹陥していることを特徴とするものである。
【００１１】
なお、本発明でいう作業口とは、施工作業、浴槽下等の点検作業、清掃作業等を行う際に使用する開口のことをいう。
【００１２】
請求項２の浴槽エプロン用収納ボックスは、請求項１において、該収納部の底面は前記枠部側に向って下り勾配の傾斜面となっていることを特徴とするものである。
【００１３】
請求項３の浴槽エプロン用収納ボックスは、請求項２において、該底面の最低位部に水抜き用開口部が設けられていることを特徴とするものである。
【００１４】
請求項４の浴槽エプロン用収納ボックスは、請求項１ないし３のいずれか１項において、該収納部の背面に締結部材を挿通させるための小孔が設けられていることを特徴とするものである。
【００１５】
請求項５の収納ボックス取付部材は、請求項４に記載の浴槽エプロン用収納ボックスをエプロンに取り付けるための収納ボックス取付部材であって、該作業口に挿入され、該収納ボックスの前記枠部に外嵌する外枠部と、該外枠部のうち該エプロンの裏面側の周縁から突設されており、該作業口の裏面側の周縁に当接する鍔部と、該鍔部の裏面に設けられた留め部とを有し、該留め部は、該鍔部の裏面から起立する脚部と、該脚部の先端に設けられた該収納部の背面と対面する耳部とを有し、該耳部のうち該背面の小孔と対向する位置に前記締結部材が挿入される小孔が設けられていることを特徴とするものである。
【００１６】
請求項６の浴槽エプロン構造は、浴槽のエプロンの作業口に請求項４に記載の浴槽エプロン用収納ボックスが請求項５に記載の収納ボックス取付部材を介して取り付けられてなる浴槽エプロン構造であって、該取付部材の前記外枠部に該収納ボックスの前記枠部が挿入され、該収納ボックスの前記小孔を通して該取付部材の前記耳部の小孔に締結部材が挿入されることにより該収納ボックスと収納ボックス取付部材とが締結され、且つ該収納ボックスの前記フランジ部と該取付部材の前記鍔部とによって該作業口の周縁が挟持されていることを特徴とするものである。
【発明の効果】
【００１７】
本発明の浴槽エプロン用収納ボックスにあっては、収納部の下部が下方に凹陥している。このため、作業口の開口高さよりも背の高い容器等を浴槽エプロン用収納ボックス内に収納することが可能となる。
【００１８】
この凹部の底面を枠部側に向って下り勾配の傾斜面とすることにより、容器等を浴槽エプロン用収納ボックスに容易に出し入れすることができる。
【００１９】
この凹部の底面の最低位部に水抜き用開口部を設けることにより、浴槽エプロン用収納ボックス内に水が溜まることが防止される。
【００２０】
本発明の浴槽エプロン用収納ボックスは、フランジ部を作業口の周縁に当てがい、ビス等の締結部材を用いて該フランジ部を作業口の周縁に留め付けてもよいが、収納部の背面に締結部材を挿入する小孔を設け、後述する取付部材を用いて取り付けてもよい。
【００２１】
本発明の収納ボックス取付部材は、作業口に挿入され、該収納ボックスの前記枠部に外嵌する外枠部と、該外枠部のうち該エプロンの裏面側の周縁から突設されており、該作業口の裏面側の周縁に当接する鍔部と、該鍔部の裏面に設けられた留め部とを有し、該留め部は、該鍔部の裏面から起立する脚部と、該脚部の先端に設けられた該収納部の背面と対面する耳部とを有し、該耳部のうち該背面の小孔と対向する位置に前記締結部材が挿入される小孔が設けられていることを特徴とするものである。
【００２２】
この取付部材を用いて本発明の浴槽エプロン用収納ボックスをエプロンに取り付ける場合は、作業口に取付部材の外枠部を挿入し、該取付部材の外枠部に該収納ボックスの枠部を挿入し、該収納ボックスの小孔を通して該取付部材の前記耳部の小孔に締結部材を挿入して該収納ボックスと収納ボックス取付部材とを締結し、且つ該収納ボックスの前記フランジ部と該取付部材の前記鍔部とによって該作業口の周縁を挟持する。
【００２３】
このように、浴槽エプロン用収納ボックスのフランジ部と取付部材の鍔部とによって作業口の周縁を挟持するため、浴槽エプロン用収納ボックスの取り付け強度が高い。また、浴槽エプロン用収納ボックスのフランジ部をエプロンにビス止めしなくてもよいため、エプロンの材質がビス止めに不適切なものであっても、浴槽エプロン用収納ボックスを取り付けることができる。さらに、締結部材が収納部の背面に位置するため、締結部材が使用者に見え難く、見映えがよい。
【発明を実施するための最良の形態】
【００２４】
以下、図面を参照して本発明の実施の形態を詳細に説明する。
【００２５】
第１図は実施の形態に係る浴槽エプロン構造を説明する縦断面図、第２図は第１図の浴槽エプロン構造の分解斜視図、第３図は第１図の浴槽エプロン構造を備えた浴室の斜視図である。
【００２６】
第３図の通り、浴槽１のエプロン２に作業口３が開設されている。該作業口３が収納ボックス１０によって塞がれている。このエプロン２は床パン４に載置されている。
【００２７】
エプロン２としては、ＦＲＰ等の樹脂の他、モルタルやセメント板の裏面に発泡板が貼り付けられたもの等であってもよい。また、エプロン２の表面にタイルが貼り付けられたものであってもよい。
【００２８】
第１，２図の通り、収納ボックス１０は、収納部１３と、この収納部１３に連なる枠部１１と、該枠部１１の周縁部に設けられたフランジ部１２とからなっている。この収納部１３の下部は下方に凹陥し、凹部１３ａとなっている。
【００２９】
この凹部１３ａの底面１３ｂは四角形をなしている。該底面１３ｂは前端側（フランジ部１２の側）に向って下り勾配の傾斜面となっている。該底面１３ｂの最低位部に水抜き用開口としての穴１３ｈ（第１図参照）が設けられている。該底面１３ｂは枠部１１より低位となっている。
【００３０】
該収納部１３は、底面１３ｂと、該底面１３ｂの前端側（フランジ部１２に近い側）の辺から枠部１１の下辺にわたって延在する前面１３ｄと、該底面１３ｂの後端側（フランジ部１２から遠い側）の辺から上方に起立し、枠部１１の上辺まで延在する背面１３ｃと、底面１３ｂの両側辺から起立する側面１３ｅ，１３ｆとからなる。
【００３１】
背面１３ｃの上部の両側に１対の小孔１４，１４が設けられている。
【００３２】
取付部材２０は、外枠部２１と、外枠部２１の周縁部から拡開方向に突設された鍔部２２と、該鍔部２２の裏面に設けられた１対の留め部２３，２４とからなる。
【００３３】
留め部２３，２４は、鍔部２２の裏面から突起する脚部２３ａ，２４ａと、該脚部２３ａ，２４ａの先端から突起する耳部２３ｂ，２４ｂとからなる。該耳部２３ｂ，２４ｂは、取り付け時に収納部１３の背面１３ｃと対面するように角度が付けられている。該耳部２３ｂ，２４ｂのうち収納部１３の小孔１４，１４に対応する位置に小孔２３ｃ，２４ｃが設けられている。各小孔２３ｃ，２４ｃの裏側にナット２５が固着されている（第１図参照）。但し、ナット２５が省略され、小孔２３ｃ、２４ｃがねじきられていてもよい。
【００３４】
このように構成された収納ボックス１０及び取付部材２０を作業口３に取り付けてなる浴槽エプロン構造及び取り付け方法を第１，２図を参照して説明する。
【００３５】
先ず、取付部材２０を傾けて作業口３から挿入し、エプロン２の裏側に配置する。次いで、第２図の如く、該取付部材２０をエプロン２と平行にし、取付部材２０の外枠部２１を作業口３に挿入する。このとき、取付部材２０の鍔部２２を作業口３の周縁の裏面に当接させる。
【００３６】
該取付部材２０の外枠部２１に該作業口３の前方から収納ボックス１０の枠部１１を挿入し、作業口３の周縁の表面に収納ボックス１０のフランジ部１２を当接させる。
【００３７】
なお、該鍔部２２及びフランジ部１２はエプロン２の裏面及び表面に直接当接してもよく、パッキン等を介して当接してもよい。
【００３８】
次いで、小孔１４，１４及び小孔２３ｃ，２４ｃにボルト２６，２６を通し、該ボルト２６，２６をナット２５，２５に締着する。このとき、該収納ボックス１０のフランジ部１２と取付部材３０の鍔部２２とによって作業口３の周縁が挟持され、収納ボックス１０が作業口３に強固に取り付けられる。
【００３９】
本実施の形態の収納ボックス１０にあっては、収納部１３の下部が下方に凹陥してなる凹部１３ａとなっている。このため、枠部１１の開口高さよりも背の高い容器等を収納ボックス１０内に収納することが可能である。
【００４０】
この凹部１３ａの底面１３ｂが枠部１１の側に向って下る傾斜面となっているため、容器等を収納ボックス１０に容易に出し入れすることができる。
【００４１】
この凹部１３ａの底面の最低位部に穴１３ｈが設けられているため、収納部１３内に水が溜まることが防止される。なお、穴１３ｈの代わりに底面１３ｈの最低位部にスリットを設けてもよい。この際、浴槽下に防水パンが設置されているため床下に水が浸入することがない。
【００４２】
本実施の形態の浴槽エプロン構造にあっては、収納ボックス１０のフランジ部１２と取付部材２０の鍔部２２とによって作業口３の周縁が挟持されるため、収納ボックス１０の取り付け強度が高い。また、収納ボックス１０のフランジ部１２をエプロン２にビス止めしなくてもよいため、エプロン２の材質がビス止めに不適切なものであっても、収納ボックス１０をエプロン２に取り付けることができる。さらに、締結部材が収納部の背面に位置するため、締結部材が使用者に見え難く、見映えがよい。
【００４３】
上記実施の形態は本発明の一例であり、本発明は上記実施の形態に限定されない。例えば、収納部の底面が床パンよりも低位になるようにしてもよい。
【００４４】
収納部の底面を水平にしてもよく、枠側に上る傾斜面にしてもよく、右側又は左側に上る傾斜面にしてもよいが、本実施の形態のように枠側に下る傾斜面にした方が容器等の出し入れが容易である。
【００４５】
上記実施の形態では、取付部材２０を作業口３に挿入しやすくする等のために、取付部材２０の外枠の上辺に鍔部を設けなかったが、上辺に鍔部を設けてもよく、また上辺以外の一辺に鍔部を設けないようにしてもよい。上辺と下辺又は左辺と右辺の鍔部を省略してもよい。
【図面の簡単な説明】
【００４６】
【図１】実施の形態に係る浴槽エプロン構造を説明する縦断面図である。
【図２】第１図の浴槽エプロン構造の分解斜視図である。
【図３】第１図の浴槽エプロン構造を備えた浴室の斜視図である。
【符号の説明】
【００４７】
１  浴槽
２  エプロン
３  作業口
４  床パン
１０  収納ボックス
１１  枠部
１２  フランジ部
１３  収納部
１３ａ  凹部
１３ｂ  底面
１３ｃ  背面
１４  小孔
２０  取付部材
２１  外枠部
２２  鍔部
２３，２４  留め部
２３ａ，２４ａ  脚部
２３ｂ，２４ｂ  耳部
２３ｃ，２４ｃ  小孔
【図１】
2007098019.tif 000003
【図２】
2007098019.tif 000004
【図３】
2007098019.tif 000005